(57)【要約】【課題】  簡単に葉書に記入した情報を第三者が見られない状態として郵送することができるようにした郵便葉書用紙を提供する。【解決手段】  折り畳み用紙と、折り畳み用紙に剥離可能に貼付された２枚の剥離紙とからなり、折り畳み用紙は、縦方向に形成された２本の折り用ミシンを介して、第１の紙片と第２の紙片と第３の紙片とが連接され、第２の紙片の裏面であって、第２の紙片と第３の紙片の境に形成されている折り用ミシンに沿った部分に、郵便はがきの文字が表示され、折り畳み用紙をＺ状に３つに折りした際に、第２の紙片に表示された郵便はがきの文字が外部から目視可能となるように、第１の紙片の横幅寸法が、第２の紙片及び第３の紙片の横幅寸法よりも短い寸法で形成され、第１の紙片及び第３の紙片の裏面に、接着後に剥離可能となる接着剤層が形成され、剥離紙は、第１の紙片及び第３の紙片の接着剤層に剥離可能に貼付されている。【選択図】        図１
2009220374.tif 000002
【特許請求の範囲】
【請求項１】
Ｚ状に３つに折りして郵便葉書を作成する折り畳み用紙と、前記折り畳み用紙に剥離可能に貼付された２枚の剥離紙とからなる郵便葉書用紙であって、
前記折り畳み用紙は、縦方向に形成された２本の折り用ミシンを介して、表面に宛先記載部を有する第１の紙片と、中央に位置している第２の紙片と、第３の紙片と、が順番に横方向に連接され、前記第２の紙片の裏面であって、前記第２の紙片と前記第３の紙片の境に形成されている折り用ミシンに沿った部分に、郵便はがきの文字が表示され、前記折り畳み用紙をＺ状に３つに折りした際に、前記第２の紙片に表示された郵便はがきの文字が外部から目視可能となるように、前記第１の紙片の横幅寸法が、前記第２の紙片及び前記第３の紙片の横幅寸法よりも短い寸法で形成され、前記第１の紙片及び前記第３の紙片の裏面に、接着後に剥離可能となる接着剤層が形成され、
前記剥離紙は、前記第１の紙片及び前記第３の紙片に形成されている接着剤層にそれぞれ剥離可能に貼付されていることを特徴とする郵便葉書用紙。
【請求項２】
前記剥離用紙の表面には、郵便葉書を作成する方法に関する記載が表示されていることを特徴とする請求項１記載の郵便葉書用紙。
【請求項３】
前記第２の紙片の裏面には、前記郵便葉書用紙の使用者が記入するための記入欄が表示されていることを特徴とする請求項１記載の郵便葉書用紙。
【発明の詳細な説明】
【技術分野】
【０００１】
本発明は、Ｚ状に３つに折りして郵便葉書を作成する折り畳み用紙と、前記折り畳み用紙に剥離可能に貼付された２枚の剥離紙とからなる郵便葉書用紙であって、記入した情報を第三者に見られない状態で郵便葉書を郵送できるようにした郵便葉書用紙に関する。
【背景技術】
【０００２】
従来、郵便葉書を用いて情報の伝達を行なう際に、個人情報の秘密保持を保つことから、郵便葉書に記載した個人情報の領域を、隠蔽用ラベルを剥離可能に貼り付けて外部から目視できない状態にして郵送することが行なわれている。
これらの隠蔽用ラベルについては、既に公知となっているものがある。（例えば、特許文献１〜３参照）
【０００３】
これらの隠蔽用ラベルは、葉書の所定部分に隠蔽用ラベルを剥離可能な接着剤などで貼付させているので、郵送途中において他の郵便物が隙間に入り込んだりして剥がれたり、開封などしてしまう危険性があり、秘密保持の点からも問題がある。
また、葉書を使用して情報の伝達を行う場合は、葉書の裏面に伝達情報を記載するが、葉書の片面では書ききれないこともあり、葉書の２面分の記入欄が必要な場合に対応できないという問題がある。
【０００４】
【特許文献１】特開平１０−１６６７６５号公報
【特許文献２】特開平１１−１２９６５４号公報
【特許文献３】特開平１１−３３４２５６号公報
【発明の開示】
【発明が解決しようとする課題】
【０００５】
そこで、本発明は、葉書の所定部分に隠蔽用ラベルを貼り付けることなく、簡単に葉書に記入した情報を第三者が見られない状態として郵送することができ、更に、葉書の２面分の記入領域を設けられるようにして、より多くの情報を伝達できるようにした郵便葉書用紙を提供する。
【課題を解決するための手段】
【０００６】
本発明の郵便葉書用紙は、Ｚ状に３つに折りして郵便葉書を作成する折り畳み用紙と、前記折り畳み用紙に剥離可能に貼付された２枚の剥離紙とからなる郵便葉書用紙であって、前記折り畳み用紙は、縦方向に形成された２本の折り用ミシンを介して、表面に宛先記載部を有する第１の紙片と、中央に位置している第２の紙片と、第３の紙片と、が順番に横方向に連接され、前記第２の紙片の裏面であって、前記第２の紙片と前記第３の紙片の境に形成されている折り用ミシンに沿った部分に、郵便はがきの文字が表示され、前記折り畳み用紙をＺ状に３つに折りした際に、前記第２の紙片に表示された郵便はがきの文字が外部から目視可能となるように、前記第１の紙片の横幅寸法が、前記第２の紙片及び前記第３の紙片の横幅寸法よりも短い寸法で形成され、前記第１の紙片及び前記第３の紙片の裏面に、接着後に剥離可能となる接着剤層が形成され、前記剥離紙は、前記第１の紙片及び前記第３の紙片に形成されている接着剤層にそれぞれ剥離可能に貼付されていることを特徴とする。
【０００７】
また、本発明の郵便葉書用紙は、前記剥離用紙の表面に、郵便葉書を作成する方法に関する記載が表示されていることを特徴とする。
【０００８】
更に、本発明の郵便葉書用紙は、前記第２の紙片の裏面に、前記郵便葉書用紙の使用者が記入するための記入欄が表示されていることを特徴とする。
【発明の効果】
【０００９】
本発明の郵便葉書用紙は、Ｚ状に３つに折りして郵便葉書を作成することで、葉書に記入した情報を覆い隠せるので、従来のように隠蔽用ラベルを貼り付ける手間もなく、葉書に貼付した隠蔽用ラベルの隙間に他の郵便物が入り込んだりして剥がれたり、開封などしてしまう危険性もなく、秘密保持の点からも効果的である。
また、葉書の２面分の記入領域を設けられるようにしてあるので、より多くの情報を伝達できるという効果がある。
【発明を実施するための最良の形態】
【００１０】
以下、本発明の実施形態に係る郵便葉書用紙を、図面に基づいて詳細に説明する。
図１は、実施形態に係る郵便葉書用紙の表面の平面図、図２は、実施形態に係る郵便葉書用紙の表面側から見た場合において、剥離紙を剥離させた状態を示す平面図、図３は、図１のＡ−Ａ線断面図が示されている。
実施形態に係る郵便葉書用紙１は、図１に示すように、Ｚ状に３つに折りして郵便葉書を作成する折り畳み用紙２と、前記折り畳み用紙２に剥離可能に貼付された２枚の剥離紙３，４とから構成されている。
【００１１】
折り畳み用紙２は、横方向に長い寸法からなる矩形形状を有しており、横方向に所定幅の間隔をあけて、縦方向に形成された２本の折り用ミシン５，６を介して、表面に宛先記載部７を有する第１の紙片２ａと、中央に位置している第２の紙片２ｂと、第３の紙片２ｃと、が順番に横方向に連接されている。
表面に宛先記載部７を有する第１の紙片２ａが、郵便葉書用紙１の折り畳み用紙２をＺ状に３つに折りして作成された郵便葉書の表面側となる。
【００１２】
図４には、実施形態に係る郵便葉書用紙の裏面の平面図が示され、図５には、実施形態に係る郵便葉書用紙の裏面側から見た場合において、剥離紙を剥離させた状態を示す平面図が表示されている。
図６に示すように、折り畳み用紙２の第２の紙片２ｂの裏面には、第２の紙片２ｂと第３の紙片２ｃの境に形成されている折り用ミシン６に沿った部分に、「郵便はがき」の文字表示８が縦方向に表示されている。
この「郵便はがき」の文字表示８は、この郵便物が郵便葉書であることを示すものである。
また、第２の紙片２ｂの裏面には、郵便葉書の差出人の氏名や住所などの記載欄や、所望の伝達情報を記載する欄が設けられている。
【００１３】
折り畳み用紙２を構成する３紙片、つまり、縦方向に形成された２本の折り用ミシン５，６を介して連接されている、第１の紙片２ａ、第２の紙片２ｂ、第３の紙片２ｃ、の各紙片の横幅寸法は、折り畳み用紙２をＺ状に３つに折りした際に、第２の紙片２ｂに表示された「郵便はがき」の文字表示８が外部から目視可能となるように、第１の紙片２ａの横幅寸法が、第２の紙片２ｂ及び第３の紙片２ｃの横幅寸法よりも短い寸法で形成されている。
【００１４】
これにより、折り用ミシン６に沿って第２の紙片２ｂに表示されている「郵便はがき」の文字８は、郵便葉書用紙１をＺ状に３つに折りして郵便葉書を作成して際に、「郵便はがき」の文字８と、第１の紙片２ａの表面の宛先記載部７とが、作成された郵便葉書の表面側となるように構成されている。
図６には、折り畳み用紙２をＺ状に３つに折りして郵便葉書９を作成した状態の斜視図が示されているが、郵便葉書９の表面側に、「郵便はがき」の文字８と、第１の紙片２ａの表面の宛先記載部７とが位置している。
【００１５】
また、図２、図３、図５に示すように、折り畳み用紙２の中で、第１の紙片２ａの裏面と、第３の紙片２ｃの表面には、それぞれ接着後に剥離可能となる特殊な接着剤を用いた再剥離可能な接着剤層１０，１１が形成されている。
これらの再剥離可能な接着剤層１０，１１は、密着面の密着及び再剥離を容易にするように調整されており、バインダー成分と粘着性微球成分等が混合されている。
バインダー成分は、アクリルエマルジョン型粘着剤等が用いられ、粘着性微球成分には、大きさが１０〜１５０μｍの微粒子状でメタアクリル酸エステル等の材質が使用される。
【００１６】
また、図１及び図２に示すように、郵便葉書用紙１で作成された郵便葉書が受取人に届く途中で、内部に記載された文字などを、紙片を透かして見られないように、第３の紙片２ｃ裏面には、透かし見を防止するための模様などのカムフラージュ用印刷模様１２が施されている。
尚、カムフラージュ用印刷模様１２が施されている位置は、必ずしも第３の紙片２ｃの裏面でなくてもよく、第２の紙片２ｂの表裏面に施すようにしてもよい。
【００１７】
次に、郵便葉書用紙１の使用方法について説明する。
郵便葉書用紙１の利用者は、郵便葉書用紙１の所定部分に記入すべき事項を全て記入した後、図２に示すように、第１の紙片２ａの裏面に貼付されている剥離紙３と、第３の紙片２ｃの裏側に貼付されている剥離紙４とを剥離させて、図６に示すように、第１の紙片２ａを折り用ミシン５から折り畳んで、第２の紙片２ｂの表面上に重ね合わせて加圧することで、接着剤層１０により第１の紙片２ａと第２の紙片２ｂとを接着させる。
【００１８】
次に、第３の紙片２ｃを折り用ミシン６から折り畳んで、第２の紙片２ｂの裏面上に重ね合わせて加圧することで、接着剤層１１により第３の紙片２ｃと第２の紙片２ｂとを接着させる。
これにより、図６に示す郵便葉書９が形成され、郵送することができる。
【００１９】
図７には、郵便葉書用紙１の折り畳み用紙２で作成した郵便葉書９から、第１の紙片２ａ及び第３の紙片２ｃのそれぞれの一部を捲り上げた状態を示す斜視図である。
図７に示すように、その郵便葉書９の受取人は、第１の紙片２ａの一端部分を摘んで引き上げることで、再剥離可能な接着剤層１０で剥離可能な接着状態にある第１の紙片２ａを第２の紙片２ｂ上から捲り上げることができ、更に、第３の紙片２ｃの一端部分を摘んで引き上げることで、再剥離可能な接着剤層１１で剥離可能な接着状態にある第３の紙片２ｃを第２の紙片２ｂ上から捲り上げることができる。
【００２０】
上記のように、本発明の郵便葉書用紙は、Ｚ状に３つに折りして郵便葉書を作成することで、葉書に記入した情報を覆い隠せるので、従来のように隠蔽用ラベルを貼り付ける手間もなく、葉書に貼付した隠蔽用ラベルの隙間に他の郵便物が入り込んだりして剥がれたり、開封などしてしまう危険性もない。
【図面の簡単な説明】
【００２１】
【図１】実施形態に係る郵便葉書用紙の表面の平面図である。
【図２】実施形態に係る郵便葉書用紙の表面側から見た場合において、剥離紙を剥離させた状態を示す平面図である。
【図３】図１のＡ−Ａ線断面図である。
【図４】実施形態に係る郵便葉書用紙の裏面の平面図である。
【図５】実施形態に係る郵便葉書用紙の裏面側から見た場合において、剥離紙を剥離させた状態を示す平面図である。
【図６】実施形態に係る郵便葉書用紙の折り畳み用紙を、Ｚ状に３つ折りして郵便葉書を作成した状態を示す斜視図である。
【図７】実施形態に係る郵便葉書用紙の折り畳み用紙で作成した郵便葉書から第１の紙片及び第３の紙片の一部を捲り上げた状態を示す斜視図である。
【符号の説明】
【００２２】
１  郵便葉書用紙
２  折り畳み用紙
２ａ  第１の紙片
２ｂ  第２の紙片
２ｃ  第３の紙片
３，４  剥離紙
５，６折り用ミシン
７  宛先記載部
８  「郵便はがき」の文字表示
９  郵便葉書
１０，１１  再剥離可能な接着剤層
１２  カムフラージュ用印刷模様
【図１】
2009220374.tif 000003
【図２】
2009220374.tif 000004
【図３】
2009220374.tif 000005
【図４】
2009220374.tif 000006
【図５】
2009220374.tif 000007
【図６】
2009220374.tif 000008
【図７】
2009220374.tif 000009